(57)【要約】開示された衣服は、映画やスポーツイベントの類および催し物の企画などを宣伝するための表記物を有する分離可能なビルボードパネル（１９）を背面に備える。ビルボードパネル（１９）は着脱可能なパネルであり、衣服（１０）の背部と、衣服の背部にあって取り付け部（２１）を覆うフラップ（２１，１７，２４）とに迅速かつ容易に取り付けられまたは取りはずされる。
2006523852.tif 000002
【特許請求の範囲】
【請求項１】
人体の胴体上部を覆うようなされた前部と背部を持つ本体部分を少なくとも含む、個人によって着用するように適合された衣服において、
改良点は、通常前記衣服の背部を覆い、広告掲示パネルと衣服の背部の両方に結合する間隔を隔てた複数の迅速解放係止部によって衣服に保持される着脱可能な広告掲示パネルを含み、
前記広告掲示パネルは、衣服に対向する一面と、衣服に対向する前記面と反対の他面上に表示を持ち、第１位置から移動可能であり、
さらに、前記広告掲示パネルの面は、衣服の背部の面に対し法線の方向に衣服の背部の面と略平行であり衣服の背部に接し、前記迅速解放係止部は、衣服の外側に見えないように、広告掲示パネルの周囲に部分的な縁を形成する衣服の背部と一体の複数のフラップに覆われていることを特徴とする衣服。
【請求項２】
フラップは、衣服の背部の上部分に沿って延びる第１フラップと、衣服の背部の対向する両側部に延びる一対の間隔を隔てた第２および第３フラップを含むことを特徴とする請求項１の衣服。    
【請求項３】
迅速解放係止部は係止部の複数の集合を含み、それぞれの集合は第１係止部を含み、前記第１係止部は第２係止部に解放可能に固定されるよう位置合わせされていることを特徴とする請求項２の衣服。    
【請求項４】
第１係止部はフラップの下面に設けられていることを特徴とする請求項３の衣服。
【請求項５】
第２係止部は衣服の背部から離れて表示掲示パネルの側に設けられていることを特徴とする請求項４の衣服。    
【請求項６】
フラップは、表示掲示パネルが衣服から脱離されたとき、通常第１係止部を覆うことを特徴とする請求項５の衣服。    
【請求項７】
フラップは、表示掲示パネルが衣服に着脱可能に固定されたとき、通常第１および第２係止部を覆うことを特徴とする請求項５の衣服。    
【請求項８】
係止部は係止フック素材および係止ループ素材の断片からなることを特徴とする請求項１の衣服。    
【請求項９】
着脱可能な広告掲示を表示するために個人着用するように適合された前部と背部とを持つ本体部分を持つ衣服は、背部に着脱可能に取り付けられた広告掲示を含み、
前記掲示は、背部から離れた一方の側に表示を持ち、間隔を隔てて備えられた互いに結合する複数の迅速解放手段によって背部に着脱可能に固定され、
前記迅速解放手段は、表示掲示の少なくとも一部に周配されているフラップ手段によって通常覆われており、
前記フラップ手段は迅速解放手段を持つ下面を持つことを特徴とする衣服。    
【請求項１０】
前部と背部を持つ本体部分を有する、人体に着用されるようになされた衣服において、衣服の背部に面した下面を持つ複数のフラップを、該フラップが衣服の背部に固定されるべくして含み、
それぞれのフラップは、衣服に定着するよう固定され長い帯状素材を含み、
前記帯状素材の１つは、衣服の背部の上部分に沿って略水平に表着され、
一対の前記帯状素材は、衣服の背部の対向する両側部に略垂直に延びており、
複数の前記帯状素材は、略Ｕ字型の縁を形成していることを特徴とする衣服。
【請求項１１】
それぞれのフラップの下面の間隔を隔てた場所に配置された、フック素材とループ素材の係止部の複数の断片を含むことを特徴とする請求項１０の衣服。
【請求項１２】
衣服の背部から離れた一方の面に境界と表示を持つ着脱自在の略長方形のパネル、および衣服の背部から離れた一方の面にパネルの縁付近の間隔を隔てた場所で、フラップ上の断片と着脱自在に結合するようになしてある、間隔を隔てた複数の断片を含むことを特徴とする請求項１１の衣服。
【請求項１３】
それぞれのフラップの下面の間隔を隔てた場所に配置された複数の第１係止固定要素を含み、それぞれの第１係止固定要素は第２係止固定要素に着脱自在に固定されるようになしてあることを特徴とする請求項１０の衣服。
【請求項１４】
衣服の背部から離れた一方の面に縁と表示を持つ着脱自在の略長方形のパネルおよび、衣服の背部から離れた一方の面にパネルの縁付近の間隔を隔てた場所で、フラップ上の第１係止固定要素と着脱自在に結合するようになしてある、間隔を隔てた複数の第２係止固定要素を含むことを特徴とする請求項１３の衣服。
【発明の詳細な説明】
【技術分野】
【０００１】
この発明は衣服に関する、そして、より詳細にはそこに表記物を有する着脱可能なビルボードパネルを備えた衣服に関する。
【背景技術】
【０００２】
異なる表記物を掲示するために交換可能な画像表示を有する種々の衣服が知られている。そのような衣服は米国特許第４０８６５１６号に開示されている。しかしながら、この画像表示を有する衣服は画像表示なしでは着用できない。なぜならそれは画像表示なしでは背部が欠けたジャケットの様相を呈するためである。  
【０００３】
他のそのような衣服は米国特許第５９６０４７６号にダンジーによって開示されている。この衣服は透明なパネルをその背部に有しており、そのパネルを通して入れ墨を掲示することができるものの、これは着脱可能なビルボードパネルではない。
【０００４】
いくつかの衣服は、例えば米国特許第４７１０９８１号にサンチェズによって開示されているように、メッセージやその他の表示を掲示するために開閉できるパネルを有している。これは完全に着脱可能なパネルではない。
【０００５】
ブランクスによる米国特許第５９５３７５７号は画像が掲示できる衣服上に着脱可能なポケットを示している。ポケットに画像がないとその衣服は画像なしの未完成で不完全なものに見えるであろう。        
【０００６】
以上より、異なる表記物を交換して掲示することができる、全体が着脱可能な表記物を有するビルボードパネルの掲示に使用可能な、それ自体で完成している衣服が求められることが理解できる。
【特許文献１】米国特許第５９６０４７６号明細書
【特許文献２】米国特許第４７１０９８１号明細書
【特許文献３】米国特許第５９５３７５７号明細書
【発明の開示】
【発明が解決しようとする課題】
【０００７】
この発明の目的は、その背面に表記物を有する完全に着脱可能なビルボードパネルを備えた、それ自体で完成したジャケットなどの衣服を提供することにある。
【０００８】
この発明のさらなる目的は、分離手段が背面に見えない衣服を提供することにある。
【０００９】
この発明のまたさらなる目的は、先にある衣服にフラップが取り付けられ、かつ、ヴェルクロ（Ｒ）素材片のような分離手段がフラップに取り付けられた衣服を提供することにある。それにより、表記物を有する着脱可能なビルボードパネルが迅速かつ容易に衣服の背部に装着および脱離できる。
【課題を解決するための手段】
【００１０】
これらのおよびその他の目的は、音楽やスポーツイベントおよび映画等を宣伝するための表記物を背面に有する分離可能なビルボードパネルを備えた衣服を提供することにより適切に達成される。ビルボードパネルは迅速かつ容易に衣服の背部に取り付けおよび脱離される着脱可能なパネルであり、衣服の背部のフラップは衣服の背部に着脱可能なパネルを離脱可能に取り付けるための手段を覆っている。
【発明を実施するための最良の形態】
【００１１】
図１において、人物１０は本発明に係る衣服１１を着用している。後段で説明する通り、図１に示すように衣服の後方が見えるものであれば、衣服１１は、男性、女性および子供のいずれの着用に適した様式であってもよい。図示された衣服１１は、常識的に、襟１２と、一体化した本体部１３（図２も参照のこと）と、本体部１３の上部の対向する両側に間隔を隔てて一体化した一対の袖１４，１５（図１）とを持つ。
【００１２】
図１のごとく、袖１４，１５は半袖でもよいし、本体部１３はズボン１６の外に出して着用してよい。
【００１３】
もちろん、望むなら、本体部１３はズボン１６の中に入れて着用してもよいし、袖１４，１５は長袖であってもよい。
【００１４】
いかなる場合にも、衣服１１の寸法は本発明の教示にとって重要でなく、男性、女性および子供のいずれに適切な寸法としてもよく、また適切であればいずれの様式でもよい。
【００１５】
本発明において詳細に考慮されているごとく、衣服１１の後部における上部と間隔を隔てた２つの側部とに沿って、衣服１１は縁１７を有する。この縁１７は、衣服１１の一体化した背部パネル１８（図２）の周囲に延びている。着脱可能なビルボードパネル１９は、衣服１１の縁１７の範囲内にあり背部パネル１８に対向して、着脱可能に取り付けられるようになしてある。この着脱可能なビルボードパネル１９は、いかなる適切な形式としてもよい表記物２０を有する。例えば、ある特定のレコーディンググループやスポーツイベントなどを宣伝してもよい。また、上映間近の映画やアミューズメントパークのアトラクションの類を宣伝してもよい。
【００１６】
本発明のビルボードパネル１９の望ましい使用法の１つは、それが着脱可能であることから、表記物２０の主題が迅速かつ容易に交換できることに係る。例えば、アミューズメントパークに雇用された者が、新しいアトラクションやパークに関連する最近の映画を宣伝するパネル１９を持つ衣服１１を着てもよい。
【００１７】
その後パネル１９は迅速および容易に取りはずされ、別の映画やアトラクションの類を宣伝する新しいパネルに交換することができる。
【００１８】
パネル１９を迅速かつ容易に取りはずすためには、いかなる適切な手段をも用いることができる。
【００１９】
図１および２に示すごとく、例えば、ヴェルクロ・インダストリーズＢＶ・ＬＬＣの登録商標であるヴェルクロ（Ｒ）のような従来からあるフック素材およびループ素材からなる複数の係止布片を、図示した位置に縫いつけるなどして取り付けることができる。かくして、図１および２に点線で示すごとく、４つの布片２１を一方の側部フラップ２３の下面２２（図２）に設け、他方の側部フラップ２４の下面にも４つの布片２１が設けられる。３つの布片２１を上部フラップ２５の下面に設けてもよい。
【００２０】
着脱可能なビルボードパネル１９は、前記境界の上部と両側部に沿って、布片２１の位置に対応して間隔を隔てた位置に同様の数の布片２１’（図２）を有する。よって、布片２１’は通常衣服１１の外側を向いている。もちろん、布片２１は、ヴェルクロ（Ｒ）素材のフック部のような一方の係止片からなってよいし、布片２１’はループ部のような他方の係止片からなってよい。
【００２１】
図１を図２と比較して分かるごとく、パネル１９は、衣服１１の一体化した背面パネル１８に対向して位置し、図３に示されるごとく、布片２１および２１’の係止によって適所に着脱可能に取り付けられることが理解できるであろう。これらの布片２１、２１’は、フラップ２３乃至２５が覆っており、図１に示すごとく、外からは見えないようになしてある。パネル１９を取りはずしたい場合、図２に示すごとく、布片は解放されパネル１９は取りはずされる。
【００２２】
ヴェルクロ（Ｒ）のような従来からあるフックおよびループ素材について述べたが、他のジッパーやスナップなどのクイックリリース手段を用いることも可能なことは理解できるであろう。ヴェルクロ（Ｒ）は、容易に入手可能であり、耐水性があり、互いに固着する一方で容易に解放される等の特徴のため望ましい。金属製の要素のように錆びることがない。
【００２３】
ジャケットのような従来の衣服は、フラップ２３乃至２５を縫い付ける等により補正することもできる。また、本発明に係る衣服は、取り付け手段が見えないようになしてある、すなわち、布片２１がフラップ２３乃至２５で覆われているため、図２に示すようにパネル１９を取りはずすことで、従来のジャケットとしての機能を果たす。
【００２４】
１つの実施例について詳細に開示したが、その変形例は当業者にとって容易に想到し得るし、本発明の範囲は請求項の請求する範囲によってのみ限定されるべきである。
【図面の簡単な説明】
【００２５】
【図１】本発明に係る衣服を着用した人物の後方からの斜視図である。
【図２】どのようにビルボードパネルが衣服に脱離可能に装着されるかを図説した、本発明に係る衣服を着用した人物の側方からの斜視図である。
【図３】図１の３−３線に沿った断面図である。
【図１】
2006523852.tif 000003
【図３】
2006523852.tif 000004
【図２】
2006523852.tif 000005
【手続補正書】
【提出日】平成17年10月14日(2005.10.14)
【手続補正１】
【補正対象書類名】特許請求の範囲
【補正対象項目名】全文
【補正方法】変更
【補正の内容】
【特許請求の範囲】
【請求項１】
人体に着用し、該人体の胴体上部を覆うようになした衣服であって、
該衣服は、
背部パネルを持つ本体部と、
前記衣服と一体となり、該背部パネルの少なくとも一部に縁を形成する複数のフラップであって、それぞれは平坦な外観を有し、前記衣服に設けられた第１端部および該第１端部から間隔を隔ててある自由な第２端部を有し、外向面および前記背部パネルに重なる内向面を有する該フラップと、
該フラップの前記内向面に配置してあり、自由な前記第２端部から間隔を隔てていることにより、前記フラップを前記外向面から見ると隠れるようにしてある複数のフラップ側クイックファスナーと、
前記背部パネルの少なくとも一部を覆い、輪郭が４辺形の平面形状を有し、背部パネルに重なる裏面と、表記物が設けられた表面とを有する着脱可能なビルボードパネルと
を備え、
さらに、前記フラップは前記ビルボードパネルの一部と重なり、
前記ビルボードパネルの前記表面は、前記フラップの前記内向面に設けられた前記フラップ側クイックファスナーに対して係止される複数のパネル側クイックファスナーをさらに有し、
前記ビルボードパネルは、係止された前記フラップ側およびパネル側クイックファスナーのみで前記背部パネルに対して取り付けられており、前記縁または前記フラップのいずれかで輪郭が区切られた、前記表記物を有する前記表面の外部から見える部分を備えることを特徴とする衣服。
【請求項２】
前記フラップは、前記衣服の背部の上部分に沿って延びる第１フラップと、前記衣服の前記背部の相対する両側部に延びる一対の第２および第３フラップとを含むことを特徴とする請求項１に記載の衣服。
【請求項３】
前記フラップ側およびパネル側クイックファスナーは第１係止部と第２係止部との組からなる係止部を複数備え、該第１係止部は第２係止部に着脱自在にしてあることを特徴とする請求項２に記載の衣服。
【請求項４】
前記第１係止部は前記フラップの下面に設けられていることを特徴とする請求項３に記載の衣服。
【請求項５】
前記第２係止部は前記衣服の前記背部から離れた前記ビルボードパネルの縁に設けられていることを特徴とする請求項３に記載の衣服。
【請求項６】
前記フラップは、前記ビルボードパネルが前記衣服に着脱可能に取り付けられるとき、通常前記第１および第２係止部を覆うことを特徴とする請求項３に記載の衣服。
【請求項７】
前記係止部は係止フック素材の布片および被係止ループ素材の布片を含むことを特徴とする請求項１に記載の衣服。
【請求項８】
人体に着用し、人体の胴体上部を覆うようになした衣服であって、
該衣服は、
一体化した背部パネルを持つ本体部と、
前記衣服と一体となり、該背部パネルの少なくとも一部に縁を形成する複数のフラップであって、それぞれは平坦な外観を有し、前記衣服に取り付けられている第１端部および該第１端部から間隔を隔ててある自由な第２端部を有し、外向面および前記背部パネルに重なる内向面を有する該フラップと、
前記フラップの前記内向面に配置してあり、自由な前記第２端部から間隔を隔てていることにより、前記フラップを前記外向面から見ると隠れるようにしてある複数のフラップ側クイックファスナーと、
前記フラップとの間で前記背部パネルを略被覆し、前記背部パネルに接する裏面と、表記物が設けられた表面とを有する着脱可能なビルボードパネルと
を備え、
さらに、前記フラップは前記ビルボードパネルの一部と重なり、
前記ビルボードパネルの前記表面は、前記フラップの前記内向面に設けられた前記フラップ側クイックファスナーに対して係止される複数のパネル側クイックファスナーをさらに有し、
前記ビルボードパネルは、前記フラップと着脱可能な前記ビルボードパネルとが有する係止された前記フラップ側およびパネル側クイックファスナーのみで前記本体部に対して取り付けられており、前記ビルボードパネル上を一部囲む縁を前記フラップの自由な前記第２端部で形成することにより輪郭が区切られた、前記表記物を有する前記表面の外部から見える部分を備え、前記フラップと着脱可能な前記ビルボードパネルとで協働する前記フラップ側およびパネル側クイックファスナーのみで前記背部パネルに対して保持され、他の着脱可能なビルボードパネルが最初の着脱可能なビルボードパネルに代えて取り付けられ得ることを特徴とする衣服。
【請求項９】
前部と背部とを持つ本体部分が少なくとも人体の胴体上部を覆うようになした、該人体に着用する衣服であって、
改良点は、該衣服の該前部を通常覆い、かつ前記衣服の前記前部との両方に結合する間隔を隔てて設けられた複数のクイックリリース係止部によってのみ前記衣服に保持される着脱可能なビルボードパネルを含み、
該ビルボードパネルは、前記衣服に接する一面と、前記衣服に接する該一面と反対の他面上の表記物とを有し、該他面は最初の位置から移動可能であり、
さらに、前記ビルボードパネルの平面は、前記衣服の前記前部に接する前記衣服の前記前部の平面に対し略法線方向に離隔して、前記衣服の前記前部の該平面と略平行であり、前記クイックリリース係止部は、前記ビルボードパネル上を部分的に囲む縁を形成する、前記衣服の前記前部と一体となった複数のフラップによって、前記衣服の外側に見えないように覆われていることを特徴とする衣服。
【請求項１０】
着脱可能なビルボード表記物を見せるために、人体に着用するようになした、前面と背面とを有する本体部を備えた衣服であって、
前記本体部の一面に着脱可能に取り付けられた前記ビルボード表記物を有し、
前記本体部の前記一面とは離れた側となる前記ビルボード表記物の一面は表記物を有し、
係止に用いられるクイックリリース手段が間隔を隔てて複数設けられ、前記ビルボード掲示は該クイックリリース手段によって前記本体部の前記一面のみに着脱可能に取り付けられ、
前記クイックリリース手段は、前記ビルボード表記物の少なくとも一部を取り囲むフラップ手段によって通常は被覆され、
前記フラップ手段は前記クイックリリース手段を有する下面を備えることを特徴とする衣服。
【国際調査報告】
2006523852.tif 000006